(57)【要約】【課題】顔剃り装置に、イオン導入器を備えることにより、皮膚の美容と健康に良い顔剃り装置を提供する。【解決手段】把持部４と、把持部４に連接された剃刀部１とから主として構成される顔剃り装置である。剃刀部１の端部には剃刀刃部３を設けるとともに、剃刀部１には電極２Ａ，２Ｂを配置することにより、剃刀部１により剃られる顔の皮膚と電極２Ａ，２Ｂとの接触面を通じて、皮膚に微弱な電流を流すことで皮膚にイオン導入を行う。【選択図】図1
2005270120.tif 000002
【特許請求の範囲】
【請求項１】
把持部と、前記把持部に連接された剃刀部とから主として構成される顔剃り装置であって、前記剃刀部の端部には剃刀刃部を設けるとともに、前記剃刀部には電極を配置することにより、前記剃刀部により剃られる顔の皮膚と前記電極との接触面を通じて、皮膚に微弱な電流を流すことで皮膚にイオン導入を行う顔剃り装置。
【請求項２】
前記電極が、前記剃刀部に設けた前記剃刀刃部に導通して、該剃刀刃部と皮膚との接触面を通じて皮膚に微弱な電流を流すことでイオン導入を行う請求項１に記載の顔剃り装置。
【請求項３】
前記電極を前記剃刀部の所定位置に配置し、前記剃刀部の所定位置でのイオン導入を可能にした請求項１又は２に記載の顔剃り装置。
【請求項４】
前記剃刀刃部及び前記電極を、前記剃刀部上の前記剃刀刃部に対して対称となる位置に配置して、前記剃刀部の両端での顔剃り行為及びイオン導入を同時に可能にした請求項１〜３のいずれか一項に記載の顔剃り装置。
【請求項５】
顔剃り装置の皮膚接触面及び／又は前記剃刀刃部に超音波振動体を備えた請求項１〜４のいずれか一項に記載の顔剃り装置。
【請求項６】
さらに通電状態を確認できる通電表示部を備えた請求項１〜６のいずれか一項に記載の顔剃り装置。
【発明の詳細な説明】
【技術分野】
【０００１】
本発明は、一般家庭又は理容室及び美容室において用いられる顔剃り装置に関し、更に詳しくは、イオン導入により皮膚の美容や健康によい顔剃り装置に関する。
【背景技術】
【０００２】
近年、我が国において、男女を問わずファッションや外見が重視される傾向が高まり、特に顔のお手入れには気を使うようになってきている。そのお手入れの中でも、顔剃りは、レディースシェーブという言葉が生まれ、女性の間でも流行になっている程である。また、規制緩和の流れの中で、理容師と美容師の資格もひとつになる方向にあり、現在は理容師のみが顔剃りを行っているが、将来的には、美容師も顔剃りを修得しなければならない状況にある。
【０００３】
更に近年、美容器具として用いられるイオン導入器が登場してきた。すなわち、肌を美しくするための化粧品、美容液等は、塗布するだけでなくイオン導入器を使用することでより大きな美肌効果や洗浄効果が得られることが確認されている。
【０００４】
ところで、顔剃り装置としては、一般家庭においては、男性が顔の髭を剃る際にはＴ字シェーバーや電気シェーバーが、女性が顔の産毛を剃る際にはかみそりが使用され、理髪室や美容室においては、男女を問わずプロ用のレザーが使用されている。尚、以下において、ヒゲというときは肌の産毛も含む意味とする。
【０００５】
しかしながら、従来のこれらの顔剃り装置は、剃り味の向上や肌荒れの低減に配慮されたものではあるが、肌を痛め易く、肌が荒れ易いという問題があった。そのため、顔剃りをした後に保湿剤等を用いて肌の表面を保護する必要があり、皮膚を整えたり守ったりする目的でクリームやアフターシェ−ブローション、乳液などを塗布している。また、これからの時代においては、特に女性にとっては、肌を活性化し、美しい肌にすることが重要視されていくと予測される。
【発明の開示】
【発明が解決しようとする課題】
【０００６】
本発明は、かかる従来の課題に鑑みてなされたものであり、その目的とするところは、皮膚の美容に効果があるイオン導入ができる顔剃り装置を提供することにある。
【課題を解決するための手段】
【０００７】
本発明によれば、把持部と、前記把持部に連接された剃刀部とから主として構成される顔剃り装置であって、前記剃刀部の端部には剃刀刃部を設けるとともに、前記剃刀部には電極を配置することにより、前記剃刀部により剃られる顔の皮膚と前記電極との接触面を通じて、皮膚に微弱な電流を流すことでイオン導入を行う顔剃り装置が提供される。
【０００８】
本発明の顔剃り装置においては、前記電極が、前記剃刀部に設けた前記剃刀刃部に導通して、該剃刀刃部と皮膚との接触面を通じて皮膚に微弱な電流を流すことでイオン導入を行うことが好ましく、また、前記電極を前記剃刀部の所定位置に配置し、前記剃刀部の所定位置でのイオン導入を可能にしたことが好ましい。
【０００９】
さらに、本発明に於いては、前記剃刀刃部及び前記電極を、前記剃刀部上の前記剃刀刃部に対して対称となる位置に配置して、前記剃刀部の両端での顔剃り行為及びイオン導入を同時に可能にすることも好ましく、顔剃り装置の皮膚接触面及び／又は前記剃刀刃部に超音波振動体を備えることも好ましい。さらにまた、通電状態を確認できる通電表示部を備えることも好ましい。
【発明の効果】
【００１０】
本発明の顔剃り装置によれば、顔剃り装置にイオン導入機構を備えたので、顔剃りにより皮膚の角質が剃り落とされ、化粧品などの皮膚への浸透効果が最も高まった状態において、あらかじめ皮膚に塗布した化粧品や美容液、保湿材などがより効率良く皮膚の奥まで浸透し、浸透効果が向上するという優れた効果を奏する。更に、顔剃り行為とイオン導入を同時に行うことにより、顔剃り行為後のバリア機能が薄い皮膚状態での皮膚内部の水分が急激に乾燥することを防ぐことができるという効果も奏する。
【発明を実施するための最良の形態】
【００１１】
以下、本発明を実施するための形態について図面を参照しながら説明するが、本発明は、これらに何ら限定されるものではなく、本発明の範囲を逸脱しない限りにおいて、当業者の知識に基づいて、種々の変更、修正、改良を加え得るものであることは言うまでもない。
【００１２】
本発明の顔剃り装置は、上述のように、皮膚にイオン導入ができる顔剃り装置であって、図１に示すように、把持部４と、把持部４に連接された剃刀部１とから主として構成される顔剃り装置であって、剃刀部１の端部には剃刀刃部３を設けるとともに、剃刀部１には電極２Ａ，２Ｂを配置したものであり、剃刀部１により剃られる顔の皮膚と電極２Ａ，２Ｂとの接触面を通じて、皮膚に微弱な電流を流し、イオン導入を行うものである。なお、５は電源入力スイッチ、６は通電表示部、７は通電用ワイヤー、８は電池などの電源供給部を示す。
【００１３】
上記のように、本発明は顔剃り装置に微弱電流を流せる様にしたものであるが、顔剃り行為は皮膚表面の角質を削ぎ落としながら、同時にヒゲも剃る行為である。角質を剃り落とされた皮膚は、皮膚のバリア機能が薄くなっている状態なので、化粧品などの皮膚への浸透効果が最も高まる時でもある。
【００１４】
この顔剃りの行為中に、更に皮膚への浸透率を上げるために、顔剃り装置の皮膚接触面から微弱電流を流し、イオン導入を行えば、顔剃り行為時にあらかじめ皮膚に塗布した化粧品や美容液、保湿材などがより効率良く皮膚の奥まで浸透していく。また更に、顔剃り行為とイオン導入を同時に行うことにより、顔剃り行為後のバリア機能が薄い皮膚状態での皮膚内部の水分が急激に乾燥することを防ぐことができる。
【００１５】
皮膚に塗布するものは、化粧品に限らず医薬品などの経皮吸収させる方法のものも、この顔剃り装置を使用すればより高い効果が期待できる。
【００１６】
電流については、プラス、マイナスの切り替えが可能であり、皮膚への浸透促進、皮膚上の汚れの洗浄力向上が可能である。その際、電流の流れが目で確認できるように通電表示部６を設け、通電中に点灯表示させることで誤用を避けることが可能である。さらには、電流の流れが目で確認できるように通電表示部６に２ヶ所以上の点灯部を設けたり、２色以上の点灯色で通電状態、電流方向や電流強度などが識別可能にすることにより誤用を避けることが望ましい。
【００１７】
本発明の顔剃り装置において、電極の配置に制限はなく、２つの電極が同時に人体に接する必要があるが、剃刀部１には少なくとも１つの電極２Ａがあれば、図２に示すように、もう１つの電極２Ｃは剃刀部１から通電用ワイヤー７を出し、電極２Ｃが粘着シール９により体の一部に接触させたり、手で握れるようにすることも可能である。また、図３に示すように、もう１つの電極３Ａは剃刀刃部３に直接導通するようにして、剃刀刃部３を兼ねた電極３Ａとしても、顔剃り行為と同時に剃刀刃部と皮膚との接触面を通じてイオン導入を行うことができる。
【００１８】
本発明の顔剃り装置においては、電極の配置及び数に制限はなく、図５の剃刀部の断面図に示すように、剃刀部１の一端面上において、２組（全部で４つ）の電極２Ａ，２Ｂが、剃刀部１の両端面上に同様に配置してあれば、前記剃刀部１の両端面でのイオン導入が可能であるという点において好ましい。
【００１９】
さらに、本発明の顔剃り装置は、図６に示すように電極及び剃刀刃部の配置並びに数の制限はなく、前記剃刀刃部３及び前記少なくとも１つの電極２Ａ，２Ｂを、前記剃刀部１上の前記剃刀刃部３に対して対称となる位置に同様に配置した場合、前記剃刀部１の両端での顔剃り行為及びイオン導入を可能であるという点において好ましい。
【００２０】
本発明の剃刀部１の皮膚接触面部及び／又は剃刀刃部３には超音波振動体を備えることが好ましい。本発明の顔剃り装置を用いても、顔剃りの際に、全く肌に傷をつけずに顔を剃ることはできないが、前述のように、本発明の顔剃り装置を用いると肌への液体成分の浸透が良くなることを生かし、顔剃り後にアフターシェーブローション等を顔に塗り、本発明の顔剃り装置を用いて肌に適切な振動を与えると、肌の保護・保湿効果を高めることができる。また更に、超音波振動を印加することにより、髭が柔らかく剃りやすくなることから、仕上げ用のアフターシェーブローションを用いて顔剃りをすることもでき、顔剃りの際に用いるシェーブ用ローションやジェル等を節約することができる。
【００２１】
本発明においては、剃刃と肌接触面部とがそれぞれ振動印加手段を有していてもよく、又、１つの振動印加手段により剃刃と肌接触面部とに振動を印加できるように形成されていてもよく、剃刃と肌接触面部とに、それぞれ振動を印加できるように構成されることが好ましい。剃刃及び肌接触面部への振動印加手段としては、１Ｈｚ〜１０００ＭＨｚの範囲の周波数を発振させるものであることが好ましく、また、低周波から超音波領域の範囲の周波数を発振させるものであることが好ましく、更に、剃刃の振動印加手段としては、所定以下の振幅を発生させるものであることが好ましい。また、剃刃及び／又は肌接触面部の振動印加手段としては、超音波振動素子であることが好ましい。
【００２２】
本発明においては、剃刃に適切な振動を与えると、髭の切断の際に抵抗が小さくなる。また、肌接触面部を通して肌に適切に振動を与えると、肌が活性化され、顔剃りの際に用いるシェーブ用ローションやジェル、化粧水等の浸透が良くなり、髭が柔らかく剃りやすくなることから、剃り味のスムース性が向上する。このとき、髭の切断の際の抵抗が小さくなることから、剃刃の切れ味が落ちにくく、剃り味のスムース性の長期的保持を実現できる。また、髭が柔らかく剃りやすくなることから、髭を剃り残さないように顔剃り装置を顔の表面において何度も往復させなくてもよく、肌荒れを低減できる。更に、肌が活性化されることから、肌の美しさを向上させることができる。
【００２３】
本発明の顔剃り装置においては、振動印加手段に特に制限はなく、剃刃部３と肌接触面部とに対し振動を印加できるものであればよい。また、振動印加手段から剃刃部３と肌接触面部とに対し振動を印加させる構成にも特に制限はないが、剃刃部３と肌接触面部とがそれぞれ振動印加手段を有していても、又は１つの振動印加手段により剃刃部３と肌接触面部とに振動を印加できるように形成されていてもよい。
【００２４】
本発明の顔剃り装置の電源供給部８については、交換式の乾電池を用いても良いし、充電式の電池を用いて、顔剃り作業の合間に充電し続けるものであっても良い。また、電源供給ケーブル９を用いて、剃刀部外部から、交流電源より電力を供給するものや、顔剃り装置外部から、交流電源より直流変換アダプターを中継して、電力を供給するものであっても良い。
【００２５】
本発明の顔剃り装置の電源入力スイッチ５については、電源のオン・オフを切り換えることができるものとする。更には、電源入力スイッチ５が、押し込みボタン方式、スライドレバー方式、トリガーレバー方式、ダイヤルツマミ方式、タッチセンサー方式などにより、電流の向きや強弱が段階的に、又は無段階に自在に変更できるものが好ましい。これにより、顔剃り行為の作業手順や頻度、イオン導入する美容液の種類、皮膚のコンディションや部位、個人差などによりイオン導入の効果を自由に調節できる。
【００２６】
更にまた、本発明の顔剃り装置の電源入力スイッチ５により、目的とする皮膚表面の洗浄効果や、美容液の浸透効果に応じて電流の波形を切り換え可能であることが好ましい。
【００２７】
更に、本発明の顔剃り装置の電源入力スイッチ５の配置や形状が顔剃り行為の妨げにならず、操作性に優れ、誤動作を防ぐ工夫が施されたものが好ましい。電力スイッチ５の電源のオン・オフ機能と、電流の向きと強弱とを調節する機能を独立して複数設けることもまた好ましい。
【００２８】
図１に示すように、本発明の顔剃り装置の通電表示部６は、電源のオン・オフを表示するものであるが、電源供給部８が乾電池や充電池である場合などに、バッテリー容量の残量を表示することが好ましい。また、上述の電源入力スイッチ５が、電流の向きや強弱が調節できるものであれば、その電流の状態を表示することが好ましい。電源のオン・オフの表示部、バッテリー残量の表示部、電流の向きや強弱の表示部を独立して複数設けることもまた好ましい。
【００２９】
なお、図１に示す、本発明に係る顔剃り装置のイオン生成制御部１０は、電源供給部８からの電圧を変圧し、通電用ワイヤー７を通じて、電極２Ａ、２Ｂに電圧を加えることでイオン導入を行うことができる。電極２Ａ、２Ｂが人体の皮膚接触面に触れることにより微弱な電流を流すことができ、電源入力スイッチ５からの操作に応じて電源のオン・オフを制御できるものである。
【００３０】
また、イオン生成制御部１０は、目的とする皮膚表面の洗浄効果や、美容液の浸透効果に応じて電源入力スイッチ５からの操作により電流の向き、強弱を制御するものであることが好ましい。
【００３１】
そして更に、このイオン生成制御部１０は、目的とする皮膚表面の洗浄効果や、美容液の浸透効果に応じて電源入力スイッチ５からの操作により、微弱電流の波形も切り換え可能なことが好ましい。これらの波形の種類は、連続直流型、パルス直流型、パルス脱分極直流型などが挙げられるが、この範囲に限定されるものでなく、本発明の範囲を逸脱しない限りにおいて、当業者の知識に基づいて、種々の変更、修正、改良を加え得るものであることは言うまでもない。
【００３２】
また、イオン生成制御部１０は、電源供給部８と共に顔剃り装置の外部に配置して、通電用ワイヤー７を通じてイオン導入することも、本体の重量を軽減し、顔剃り作業が容易になるという点において好ましい。
【００３３】
本発明に係る顔剃り装置の剃刀刃部３は、剃刀部１に固定されているものでも良く、替え刃式のものであれば、剃刀刃部３の交換や手入れがしやすく、常に剃刀の状態を維持できるという点において好ましい。更にまた、替え刃式の剃刀刃部３が、カートリッジ式であることが交換の際に、着脱が容易でしかも安定性に優れているという点でより好ましい。
【００３４】
顔剃り装置の形状は、図１のようなシェービングレザー型のものであっても良く、剃刀部が折りたたまれて、剃刀刃部３が把持部４に収納できる折畳式である場合には、収納時において、剃刀刃部３による不慮の事故を防ぐことができるという点において好ましい。また、顔剃り装置の形状は、図４のようなＴ字型のものであっても良く、これらの形状に限定されるものでない。
【００３５】
尚、顔剃り装置として電気シェーバーを用いる場合には、剃刀刃部３が直接肌に触れないように多孔でフィルム状の金属等からなるカバー１１Ａ，１１Ｂで覆ってあるが、イオン導入するに際しては、電極は剃刀刃部３に直接設けず、図７及び図９に示すように、肌が接触する多孔でフィルム状の金属等からなるカバー１１Ａ，１１Ｂを電極として兼用させるか、または、カバー１１Ａ，１１Ｂに少なくとも１つ以上の電極を設けることが好ましい。
【００３６】
更に、電気シェーバーの場合には、剃刀部１を様々な角度で皮膚に接触させて顔剃り行為を行うため、図８及び図９に示すように、多孔でフィルム状の金属等からなるカバーを兼ねた電極１１Ａ，１１Ｂを複数設けることが、顔剃り位置に合わせて電気シェーバーを大きく変化させることなく顔剃りでき、容易にイオン導入できるという点から好ましい。
【産業上の利用可能性】
【００３７】
本発明の顔剃り装置は、Ｔ字型シェーバーや電気シェーバー、かみそり、さらにレザーなど、一般家庭や理容室及び美容室において利用価値の高い顔剃り装置である。
【図面の簡単な説明】
【００３８】
【図１】本発明の顔剃り装置の一実施形態を示す模式図である。
【図２】本発明の顔剃り装置の別の実施形態を示す模式図である。
【図３】本発明の顔剃り装置の更に別の実施形態を示す模式図である。
【図４】本発明の顔剃り装置の更に別の実施形態を示す斜視図である。
【図５】剃刀部の断面図である。
【図６】本発明の顔剃り装置の更に別の実施形態を示す模式図である。
【図７】本発明の顔剃り装置を電気シェーバーとした場合の一実施形態を示す斜視図である。
【図８】電気シェーバーに用いるための剃刀刃部の一実施形態を示す斜視図である。
【図９】本発明の顔剃り装置を電気シェーバーとした場合の他の実施形態を示す斜視図である。
【符号の説明】
【００３９】
１…剃刀部、２Ａ，２Ｂ，２Ｃ…電極、３…剃刀刃部、３Ａ…剃刀刃部を兼ねた電極、４…把持部、５…電源入力スイッチ、６…通電表示部、７…通電用ワイヤー、８…電源供給部、９…粘着シール、１０…イオン生成制御部、１１Ａ，１１Ｂ…多孔でフィルム状の金属等からなるカバー（又はカバーを兼ねた電極）。
【図１】
2005270120.tif 000003
【図２】
2005270120.tif 000004
【図３】
2005270120.tif 000005
【図４】
2005270120.tif 000006
【図５】
2005270120.tif 000007
【図６】
2005270120.tif 000008
【図７】
2005270120.tif 000009
【図８】
2005270120.tif 000010
【図９】
2005270120.tif 000011